(57)【要約】      （修正有）【課題】サンバイザーの取り付け性、および取り外し性を向上することができるサンバイザーの固定構造を提供する。【解決手段】フック部１１を支軸として回動され、取付パネル３１０に固定される板状の取付部材１０と、シャフト６１の一端に設けられたサンバイザー６０とを有してなり、シャフト６１の他端が取付部材１０に保持されることでサンバイザー６０が取付パネル３１０に取り付けられるサンバイザーの固定構造１において、取付部材１０は、他端縁部１０ｃを取付パネル３１０に係止させる係止部２０と、面１０ａからフック部１１と一体的に突設されてなるフック一体突設部３１と、裏面１０ａａから面１０ａに向けてフック部１１に近づくようにフック一体突設部３１内を斜め方向に貫通されてなるシャフト斜め挿通孔３２とを有し、シャフト斜め挿通孔３２内にシャフト６１が挿通されることによってシャフト６１が保持されるシャフト保持部３０とを有する。【選択図】図５
2013166525.tif 000002
【特許請求の範囲】
【請求項１】
一端縁部に設けられたフック部を支軸として回動され、取付パネルに固定される板状の取付部材と、シャフトの一端に設けられたサンバイザーと、を有してなり、前記シャフトの他端が前記取付部材に保持されることによって前記サンバイザーが前記取付パネルに取り付けられるサンバイザーの固定構造において、
前記取付部材は、
前記一端縁部に対する他端縁部を前記取付パネルに係止させる係止部と、
前記取付部材の前記取付パネル側の面から前記フック部と一体的に突設されてなるフック一体突設部と、前記取付パネル側の面の裏面から前記取付パネル側の面に向けて前記フック部に近づくように前記フック一体突設部内を斜め方向に貫通されてなるシャフト斜め挿通孔とを有し、前記シャフト斜め挿通孔内に前記シャフトが挿通されることによって前記シャフトが保持されるシャフト保持部と、
を有してなることを特徴とするサンバイザーの固定構造。
【請求項２】
前記シャフト保持部は、
前記フック一体突設部が前記フック部の突出上端部近傍まで突設されてなることを特徴とする請求項１に記載のサンバイザーの固定構造。
【発明の詳細な説明】
【技術分野】
【０００１】
本発明は、取付パネルに対して回動されながら固定される取付部材にサンバイザーが保持されてなるサンバイザーの固定構造に関する。
【背景技術】
【０００２】
従来、自動車の前席の天井に配置されたサンバイザーは、取り付け性、あるいは取り外し性を向上させることが重要である。例えば、特許文献１には、取付パネルに対して回動されて固定される取付部材と、この取付部材に保持されるサンバイザーとを有してなるサンバイザーの固定構造が提案されている。
【０００３】
この特許文献１に記載されたサンバイザーの固定構造は、補機側ブラケット（取付部材）が一端縁部に設けられたフック部を支軸として回動されることによってリーンフォース（取付パネル）に取り付けられるようになっている。
【０００４】
ところで、特許文献１に記載されたサンバイザーの固定構造の取付部材は、フック部が設けられる一端縁部に対する他端縁部を取付パネルに係止させる係止部が設けられるものがある。このような係止部によって、取付部材が回動完了位置から回動されないように取付パネルに係止されるので、サンバイザーの取り付け性、および取り外し性が向上される。
【先行技術文献】
【特許文献】
【０００５】
【特許文献１】特開２０１１−２４３５０５号公報
【発明の概要】
【発明が解決しようとする課題】
【０００６】
しかしながら、上述したような係止部を有してなるサンバイザーの固定構造は、サンバイザーの荷重に耐えるように係止部によって強く固定させなければならず、結果的に、サンバイザーの取り付け性、および取り外し性が悪くなってしまうという問題があった。
【０００７】
本発明は、上記に鑑みてなされたものであって、サンバイザーの取り付け性、および取り外し性を向上することができるサンバイザーの固定構造を提供することを目的とする。
【課題を解決するための手段】
【０００８】
上述した課題を解決し、目的を達成するために、本発明の請求項１に係るサンバイザーの固定構造は、一端縁部に設けられたフック部を支軸として回動され、取付パネルに固定される板状の取付部材と、シャフトの一端に設けられたサンバイザーと、を有してなり、前記シャフトの他端が前記取付部材に保持されることによって前記サンバイザーが前記取付パネルに取り付けられるサンバイザーの固定構造において、前記取付部材は、前記一端縁部に対する他端縁部を前記取付パネルに係止させる係止部と、前記取付部材の前記取付パネル側の面から前記フック部と一体的に突設されてなるフック一体突設部と、前記取付パネル側の面の裏面から前記取付パネル側の面に向けて前記フック部に近づくように前記フック一体突設部内を斜め方向に貫通されてなるシャフト斜め挿通孔とを有し、前記シャフト斜め挿通孔内に前記シャフトが挿通されることによって前記シャフトが保持されるシャフト保持部と、を有してなることを特徴とする。
【０００９】
また、本発明の請求項２に係るサンバイザーの固定構造は、上記の発明において、前記シャフト保持部は、前記フック一体突設部が前記フック部の突出上端部近傍まで突設されてなることを特徴とする。
【発明の効果】
【００１０】
本発明の請求項１に係るサンバイザーの固定構造は、前記サンバイザーの荷重が負荷される前記シャフト保持部が力点となり、前記フック部が支点となり、前記係止部が作用点になっており、作用点に比して力点が支点に近くなっているため、梃子の原理によって前記係止部に負荷される前記サンバイザーの荷重が低減され、しかも、前記シャフト保持部によって前記シャフトが鉛直方向に対して斜めに保持されることによって、前記サンバイザーの荷重が、前記シャフトの延在方向と、前記シャフトに直交する方向とに分解され、前記シャフトに直交する方向の荷重が前記シャフト保持部と一体的に形成された前記フック部に伝えられ、前記フック部を介して前記取付パネルに負荷されるので、前記係止部に負荷される前記サンバイザーの荷重が低減され、前記係止部による結合力を低減させることができ、結果的にサンバイザーの取り付け性、および取り外し性を向上することができる。
【００１１】
本発明の請求項２に係るサンバイザーの固定構造は、前記フック一体突設部が前記フック部の突出上端部近傍まで突設されてなるので、前記サンバイザーの荷重が前記フック部を介して効率的に前記取付パネルに伝達され、前記係止部に負荷される前記サンバイザーの荷重をより低減させることができる。
【図面の簡単な説明】
【００１２】
【図１】図１は、本発明の実施例に係るサンバイザーの固定構造が組み込まれたサンバイザーユニットを示した分解斜視図である。
【図２】図２は、図１に示したサンバイザーの固定構造を示した斜視図である。
【図３】図３は、図２に示したサンバイザーの固定構造を後方から視た斜視図である。
【図４】図４は、図１に示したサンバイザーの固定構造の上面図である。
【図５】図５は、図４に示したサンバイザーの固定構造のＣ−Ｃ線断面図である。
【図６】図６は、図１に示した固定側コネクタハウジングを拡大した斜視図である。
【図７】図７は、図１に示した取付部材と、取付部材に取り付けされた移動側コネクタとを示した図である。
【図８】図８は、取付部材が骨格パネルに固定される手順を示した図である。
【図９】図９は、取付部材が骨格パネルに固定される手順を示した図である。
【図１０】図１０は、取付部材が骨格パネルに固定される手順を示した図である。
【図１１】図１１は、取付部材が骨格パネルに固定される手順を示した図である。
【図１２】図１２は、取付部材が骨格パネルに固定される手順を示した図である。
【図１３】図１３は、取付部材が骨格パネルに固定される手順を示した図である。
【発明を実施するための形態】
【００１３】
以下、図面を参照して、本発明に係るサンバイザーの固定構造の実施の形態について詳細に説明する。
【実施例】
【００１４】
図１は、本発明の実施例に係るサンバイザーの固定構造が組み込まれたサンバイザーユニットを示した分解斜視図である。図２は、図１に示したサンバイザーの固定構造を示した斜視図である。図３は、図２に示したサンバイザーの固定構造を後方から視た斜視図である。図４は、図１に示したサンバイザーの固定構造の上面図である。図５は、図４に示したサンバイザーの固定構造のＣ−Ｃ線断面図である。図６は、図１に示した固定側コネクタハウジングを拡大した斜視図である。図７は、図１に示した取付部材と、取付部材に取り付けされた移動側コネクタとを示した図である。
本発明の実施例のサンバイザーの固定構造１は、一端縁部に設けられたフック部１１を支軸として回動され、骨格パネル３１０に固定される板状の取付部材１０と、シャフト６１の一端に設けられたサンバイザー６０と、を有してなり、シャフト６１の他端が取付部材１０に保持されることによってサンバイザー６０が骨格パネル３１０に取り付けられるようになっている。
【００１５】
また、サンバイザーの固定構造１は、自動車に設けられるサンバイザーユニット３００に組み込まれる。
サンバイザーユニット３００は、図１に示すように、サンバイザーユニット３００に設けられた照明付き鏡の照明の電気接続部となる固定側コネクタ３３０および固定側コネクタ３３０に嵌合される移動側コネクタ４００を含むものでる。
なお、サンバイザーユニット３００は、車体内部の骨格を形成する骨格パネル３１０が取付パネルになっている。このサンバイザーユニット３００は、この骨格パネル３１０に対して室内側に設けられる天井パネル３２０を間にして骨格パネル３１０に取りつけられるようになっている。
【００１６】
まず、骨格パネル３１０について説明する。
骨格パネル３１０は、パネル開口部３１１と、取付部材固定部３１２と、フック位置決め部３１３とを有してなる。
パネル開口部３１１は、固定側コネクタ３３０の後述する上側突出片部３４８ａが当接されるまで挿通可能に形成された開口である。
取付部材固定部３１２は、取付部材１０を固定させる部分であり、不図示のボルトが挿通されるボルト挿通孔３１２ａを有してなる。このボルト挿通孔３１２ａと、取付部材１０に形成されたボルト挿通孔４１とにボルトが挿通され、不図示のナットを用いて締結されることによって取付部材１０が骨格パネル３１０に固定されるようになっている。
フック位置決め部３１３は、取付部材１０のフック部１１が所定位置に位置決めされるようにフック部１１の形状に対応して切り欠かれた切り欠き部分である。
【００１７】
次に、天井パネル３２０について説明する。
天井パネル３２０は、図１に示すように、後述する固定側コネクタハウジング３４０の下部が挿通されるように形成されたコネクタ挿通用開口部３２１を有してなる。このコネクタ挿通用開口部３２１は、後述する各下側突出片部３４８ｂが挿通されるように一対の切り欠き部３２１ａが形成されている。
【００１８】
次に、固定側コネクタ３３０について説明する。
固定側コネクタ３３０は、雄端子３３１ａが保持され、嵌合方向が骨格パネル３１０の取付面３１０ａに直交するように固定されてなる。
固定側コネクタ３３０は、本体部となる固定側コネクタハウジング３４０を有してなる。
固定側コネクタハウジング３４０は、絶縁性の樹脂からなり、略矩形状の天井壁３４１と、天井壁３４１の左右両側縁に立設された一対の延出側壁３４２を有してなる。この一対の延出側壁３４２は、後述する囲い壁３４６の一部をなし、移動ガイド部として機能するようになっている。
この固定側コネクタハウジング３４０は、複数の雄端子３３１ａが保持される端子保持部３４３、および移動側コネクタ４００と嵌合される部分となる固定側コネクタ嵌合部３４５を有してなる。
【００１９】
端子保持部３４３は、固定側コネクタハウジング３４０内の上部に設けられ、電線Ｗに接続された複数の雌端子３３１ｂが保持される。この端子保持部３４３に保持された各雌端子３３１ｂに対して着脱自在に雄端子３３１ａが接続されるようになっている。この雄端子３３１ａは、いわゆるジョイント型の端子である。
なお、この実施例では雄端子３３１ａがジョイント型の端子であるものを例示したが、これに限らず、圧着あるいは圧接端子を用いても構わない。
【００２０】
固定側コネクタ嵌合部３４５は、図５に示すように、移動側コネクタ４００の後述する移動側コネクタ嵌合部４２０の外周面を囲うように形成された壁である囲い壁３４６を有してなる。
この固定側コネクタ嵌合部３４５の底部は天井壁３４１によって形成され、下端部が移動側コネクタ４００の嵌入口３４７になっている。雄端子３３１ａの相手端子との接続部３３１ａａは、天井壁３４１を貫通されて固定側コネクタ嵌合部３４５内に突出されるようになっている。
【００２１】
また、固定側コネクタハウジング３４０は、天井挟み込み部３４８を有し、この天井挟みこみ部３４８によって天井パネル３２０に組み付けられるようになっている。
この天井挟み込み部３４８は、図６に示すように、上側突出片部３４８ａおよび下側突出片部３４８ｂを有してなる。
上側突出片部３４８ａは、一対の延出側壁３４２の各延出側壁３４２の外面に片状に突設されてなる。この上側突出片部３４８ａは、各延出側壁３４２の前後の２箇所に間隔を空けて並んで配置されている。
下側突出片部３４８ｂは、上側突出片部３４８ａに比して下方、かつ上側突出片部３４８ａと平行に、各延出側壁３４２の外面に片状に突設されてなる。
このような固定側コネクタ３３０は、各下側突出片部３４８ｂが各切り欠き部３２１ａに挿通されるように固定側コネクタハウジング３４０の下部がコネクタ挿通用開口部３２１に挿通され、さらに固定側コネクタハウジング３４０がスライドされることによって天井パネル３２０に組み付けられるようになっている。
【００２２】
また、固定側コネクタハウジング３４０は、取付部材１０が骨格パネル３１０に固定される場合、取付部材１０の回動にともなって、移動側コネクタ４００が後述する移動規制部５０によって係止された向きから嵌合方向に向きを漸次変化させるようにガイドする移動ガイド部としての一対の延出側壁３４２と、一対のガイド溝部３４９とを有してなる。
【００２３】
一対の延出側壁３４２は、囲い壁３４６のうち後述する一対のガイド突起部４６０に向かい合い、かつ固定側コネクタ嵌合部３４５の嵌入口３４７よりも高く延出されてなる壁である。
【００２４】
一対のガイド溝部３４９は、移動側コネクタ４００が固定側コネクタ嵌合部３４５の嵌入口３４７に移動されるまでの間に嵌合方向に向くようにガイドする溝である。この一対の一対のガイド溝部３４９は、後述する一対のガイド突起部４６０が嵌め合わされるように各延出側壁３４２に形成されてなる。
各ガイド溝部３４９は、嵌入口３４７を拡大するように溝の内縁面が傾斜された傾斜面３４９ａを有してなる。後述する各ガイド突起部４６０が各傾斜面３４９ａに摺接されることによって移動側コネクタ４００が嵌合方向に向きを漸次変化させるようにガイドされるようになっている。
【００２５】
また、固定側コネクタハウジング３４０は、図１および図６に示すように、取付部材１０のフック部１１が設けられる一端縁部１０ｂに対する他端縁部１０ｃを係止する固定ハウジング側係止部３５０を有してなる。
この固定ハウジング側係止部３５０は、取付部材１０が回動完了位置で回動されないように係止させるものである。より具体的には、固定ハウジング側係止部３５０は、各延出側壁３４２の前側下端縁３４２ａの内面から鉤状に突起された一対の鉤状突起３５０ａからなり、後述する取付部材側係止部２０と係合されるようになっている。
【００２６】
次に、取付部材１０について説明する。
取付部材１０は、絶縁材料からなる板状部材であり、雄端子３３１ａに接続される雌端子４１０が保持されてなる移動側コネクタ４００が移動可能に取り付けられ、一端縁部に設けられたフック部１１を支軸として回動されて骨格パネル３１０に固定されるものである。
【００２７】
フック部１１は、取付部材１０の骨格パネル３１０側の面１０ａ（以下、部材取付側面という。）に鉤状に屈曲されるようにして突設されてなる。
【００２８】
また、取付部材１０は、取付部材側係止部２０と、シャフト保持部３０と、固定部４０と、移動規制部５０とを有してなる。
取付部材側係止部２０は、取付部材１０のフック部１１側となる一端縁部１０ｂに対する他端縁部１０ｃを骨格パネル３１０に係止させる部分である。すなわち、取付部材側係止部２０は、取付部材１０が回動完了位置で回動されないように係止させるものである。
この取付部材側係止部２０は、図１および図７に示すように、部材取付側面１０ａから鉤状に突起された一対の鉤状突起２０ａからなり、固定ハウジング側係止部３１０と係合されることによって取付部材１０が回動完了位置で回動されないように係止させるようになっている。
【００２９】
シャフト保持部３０は、シャフトが保持される部分である。このシャフト保持部３０は、フック一体突設部３１、およびシャフト斜め挿通孔３２を有してなる。
フック一体突設部３１は、取付部材１０の部材取付側面１０ａからフック部１１と一体的に突設されてなる。このフック一体突設部３１は、フック部１１の突出上端部１１ａ近傍まで突設されてなる
【００３０】
シャフト斜め挿通孔３２は、図５に示すように、部材取付面１０ａの裏面１０ａａから部材取付面１０ａに向けてフック部１１に近づくようにフック一体突設部３１内を斜め方向に貫通されてなる。
【００３１】
このようなシャフト保持部３０は、シャフト斜め挿通孔３２内にシャフト６１が挿通されることによってシャフト６１が保持されるようになっている。
また、シャフト保持部３０にシャフト６１が保持されることによって、梃子の原理が作用されるようになっている。すなわち、サンバイザー６０の荷重が負荷されるシャフト保持部３０が力点となり、フック部１１が支点となり、取付部材側係止部２０が作用点となっている。ここで、作用点に比して力点が支点に近くなっているため、梃子の原理によれば、取付部材側係止部２０に負荷されるサンバイザー６０の荷重が低減されることになる。
【００３２】
しかも、シャフト保持部３０によってシャフト６１が鉛直方向に対して斜めに保持されることによって、シャフト６１を介して取付部材１０に負荷されるサンバイザー６０の荷重が、シャフト６１の延在方向と、シャフト６１に直交する方向とに分解される。
このため、シャフト６１に直交する方向の荷重は、シャフト保持部３０と一体的に形成されたフック部１１に伝えられ、フック部１１を介して骨格パネル３１０に負荷される。すなわち、取付部材側係止部２０に負荷されるサンバイザー６０の荷重が低減されるようになっている。
これにより、取付部材側係止部２０と固定ハウジング側係止部３５０との結合力を低減させることができる。
また、取付部材側係止部２０を頑強に構成する必要がなく、結果的に取付部材側係止部２０を小さく抑えることができる。
【００３３】
固定部４０は、骨格パネル３１０に取付部材１０を固定させる部分であり、不図示のボルトが挿通されるボルト挿通孔４１を有してなる。このボルト挿通孔４１と、骨格パネル３１０に形成されたボルト挿通孔３１２ａとに不図示のボルトが挿通され、締結されることによって取付部材１０が骨格パネル３１０に固定されるようになっている。
【００３４】
移動規制部５０は、固定側コネクタ３３０との嵌合部となる移動側コネクタ嵌合部４２０が取付部材１０の部材内側面１０ａに対して直交する方向に向くように移動側コネクタ４００を係止するとともに移動側コネクタ４００の移動を規制する部分である。
この移動規制部５０は、移動小側係止部５１および移動大側係止部５２を有してなる。
【００３５】
移動小側係止部５１は、部材取付側面１０ａから鉤状に突出された部分であり、その先端部に移動側コネクタ４００の後述する引掛り部４７０に引っ掛かるように突起された引掛り突起部５１ａを有してなる。
この移動小側係止部５１は、移動側コネクタ４００が回動と同様にして移動されるように、その回動中心側としての下端縁４３０（以下、移動小側下端縁という。）を支持する部分である。
移動小側下端縁４３０は、移動小側係止部５１によって移動量が小さくなるようにその移動が規制される。
【００３６】
移動大側係止部５２は、部材内側面１０ａからほぼＬ字状に突出された部分であり、部材取付側面１０ａに立設された立設部５２ａと、立設部５２ａの上端部から移動側コネクタ４００が取り付けられる側に向けて屈曲されてなる移動範囲規制爪部５２ｂとを有してなる。
【００３７】
立設部５２ａは、移動側コネクタ４００が回動と同様にして移動されるように、回動中心側から離れた側の下端縁４４０（以下、移動大側下端縁という。）に摺接される部分である。
この立設部５２ａは、移動小側下端縁４３０の移動量に比して移動大側下端縁４４０の移動量が大きくなるようにその高さが設定されている。
また、立設部５２ａは、移動ガイド部としての機能も有している。より具体的には、立設部５２ａは、移動大側下端縁４４０に摺接される摺接面５２ａａが移動側コネクタ４００が嵌合方向に向きを漸次変化させるようになだらかな曲面形状をなしている。
【００３８】
移動範囲規制爪部５２ｂは、移動側コネクタ４００に形成された後述する爪部挿通孔４８０内に挿通され、孔内底面４８０ａに当接されることによって移動側コネクタ４００の移動を規制するものである。
このような移動規制部５０によって、移動側コネクタ４００の移動小側下端縁４３０が移動小側係止部５１に引っ掛かり、移動大側下端縁４４０が移動大側係止部５２の立設部５２ａの根元に当接されて、移動側コネクタ嵌合部４２０が部材取付側面１０ａに対して直交する方向に向くように係止される。
【００３９】
次に、移動側コネクタ４００について説明する。
移動側コネクタ４００は、絶縁性の樹脂からなり、本体部となる移動側コネクタハウジング４５０を有してなる。
移動側コネクタハウジング４５０は、移動側コネクタハウジング４５０内に複数の雌端子４１０が保持される雌端子保持部４５１と、固定側コネクタ嵌合部３４５と嵌合される移動側コネクタ嵌合部４２０と、一対のガイド突起部４６０と、引掛り部４７０と、爪部挿通孔４８０とを有してなる。
【００４０】
移動側コネクタ嵌合部４２０は、固定側コネクタ嵌合部３４５と嵌合されることによって、雌端子４１０を固定側コネクタ３３０の雄端子３３１ａに接続させる部分ある。
この移動側コネクタ嵌合部４２０は、全体としてほぼ直方体形状をなし、先端側に各雄端子３３１ａの接続部３３１ａａが挿通可能な複数の端子挿通孔４２０ａが形成されている。
【００４１】
一対のガイド突起部４６０は、取付部材１０が取付面３１０ａに固定される場合、移動ガイド部として機能する部分である。
この一対のガイド突起部４６０は、移動側コネクタ嵌合部４２０の先端側両側部に突起された部分である。各ガイド突起部４６０が各ガイド溝部３４９の傾斜面３４９ａに摺接されることによって移動側コネクタ４００が嵌合方向に向けられるようになっている。
【００４２】
引掛り部４７０は、移動小側係止部５１が引っ掛かるように移動側コネクタハウジング４５０の移動小側下端縁４３０に突出して設けられた部分である。
【００４３】
爪部挿通孔４８０は、移動側コネクタハウジング４５０の移動大側下端縁４４０周辺に形成された孔である。この爪部挿通孔４８０は、取付部材１０の移動範囲規制爪部５２ｂが孔内底面４８０ａに当接されることによって移動側コネクタ４００の移動を規制するものである。
【００４４】
ここで、取付部材１０を骨格パネル３１０に固定させる手順を図８−図１３を用いて説明する。
図８−図１３は、取付部材１０が骨格パネル３１０に固定される手順を示した図である。
なお、図中、上側の図は、図４に示したサンバイザーユニット３００のＢ−Ｂ線断面図を示し、下側の図は、図４に示したサンバイザーユニット３００のＣ−Ｃ線断面図であり、取付部材１０が上図と同様な取り付け状態になっている。
【００４５】
まず、作業者は、取付部材１０のフック部１１を骨格パネル３１０のフック位置決め部３１３に嵌めこむ（図８参照）。この状態において移動側コネクタ４００は嵌合方向に対して最大に傾いた状態で取付部材１０に係止されている。
【００４６】
その後、作業者は、取付部材１０をフック部１１を支軸として回動開始させる（図９参照）。
このように取付部材１０の回動が開始されると、一対のガイド突起部４６０が傾斜面３４９ａに当接され、移動側コネクタ４００が嵌合方向に向けられるようにガイドが開始される。
【００４７】
その後、作業者は、取付部材１０をさらに回動させる（図１０参照）。移動側コネクタ４００が移動規制部５０によって係止された向きから、漸次嵌合方向に向けられていく。より具体的には、移動側コネクタ４００の移動大側下端縁４４０が立設部５２ａの摺接面５２ａａに摺接されつつ、移動側コネクタ嵌合部４２０の先端側両側部にある一対のガイド突起部４６０が傾斜面３４９ａに摺接開始される。
【００４８】
その後、作業者は、取付部材１０をさらに回動させる（図１１参照）。このように取付部材１０がさらに回動されると、移動側コネクタ４００が嵌合方向に向けられ、移動側コネクタ嵌合部４２０が固定側コネクタ嵌合部３４５に対して直線的に移動されて嵌合できる向きになる。
なお、移動範囲規制爪部５２ｂが爪部挿通孔４８０内で孔内底面４８０ａに当接されるので、移動側コネクタ４００の移動が規制されている（図１１（ｂ）参照）。
【００４９】
その後、作業者は、取付部材１０をさらに回動させる（図１２参照）。このように取付部材１０がさらに回動されると、固定側コネクタ３３０と移動側コネクタ４００との嵌合が開始される。この際、移動側コネクタ嵌合部４２０が固定側コネクタ嵌合部３４５に対して直線的に移動開始される。また、取付部材１０が移動側コネクタ４００が移動規制部５０によって係止されていた位置に戻るように、すなわち、移動側コネクタ嵌合部４２０が部材取付側面１０ａに対して直交する方向に向けくように取付部材１０が回動される。
【００５０】
その後、作業者は、取付部材１０をさらに回動させることによって固定側コネクタ３３０と移動側コネクタ４００との嵌合が完了される（図１３参照）。固定側コネクタ３３０と移動側コネクタ４００との嵌合が完了されると、移動側コネクタ４００は、移動側コネクタ嵌合部４２０が取付部材１０の部材取付側面１０ａに対して直交する方向に向けられた状態となり、移動規制部５０によって再び係止される。
また、固定ハウジング側係止部３５０と、取付部材側係止部２０とが係合されることによって取付部材１０が固定側コネクタハウジング３４０に係止される。ここで、固定ハウジング側係止部３５０と、取付部材側係止部２０との結合力を小さくできるので、固定ハウジング側係止部３５０と、取付部材側係止部２０とを容易に係合させることができる。
【００５１】
この取付部材１０を骨格パネル３１０に固定させる作業が完了されると、取付部材１０へのサンバイザー６０の組み付けが行われる。すなわち、図５に示すように、シャフト６１がシャフト斜め挿通孔３２に挿通される。
【００５２】
取付部材１０へのサンバイザー６０の組み付けが完了されると、作業者は、最後にボルト挿通孔４１，３１２ａに、不図示のボルトが挿通され、不図示のナットを用いて締結されることによって取付部材１０が骨格パネル３１０に確実に固定させる。
【００５３】
このようにして骨格パネル３１０に取り付けられたサンバイザー６０を骨格パネル３１０から取り外す場合、まず、作業者は、ボルト挿通孔４１，３１２ａに挿通された不図示のボルトを取り外しボルトによる締結を解除する。このようにボルトによる締結を解除したとしても、固定ハウジング側係止部３５０と、取付部材側係止部２０とによって取付部材１０が固定側コネクタハウジング３４０を介して骨格パネル３１０に保持されるようになっているので、取付部材１０が取り外し方向に回動されることがない。
【００５４】
その後、作業者は、固定ハウジング側係止部３５０と、取付部材側係止部２０との係合を解除し、取付部材１０を取り外し方向に回動させながら骨格パネル３１０から取り外す。この際、固定ハウジング側係止部３５０と、取付部材側係止部２０とが強く係合されないように設定されているので、容易にその係合を解除することができるようになっている。
【００５５】
本発明の実施例に係るサンバイザーの固定構造１は、サンバイザー６０の荷重が負荷されるシャフト保持部３０が力点となり、フック部１１が支点となり、取付部材側係止部２０が作用点となっており、作用点に比して力点が支点に近くなっているため、梃子の原理によって取付部材側係止部２０に負荷されるサンバイザー６０の荷重が低減され、しかも、シャフト保持部３０によってシャフト６１が鉛直方向に対して斜めに保持されることによって、サンバイザー６０の荷重が、シャフト６１の延在方向と、シャフト６１に直交する方向とに分解され、シャフト６１に直交する方向の荷重がシャフト保持部３０に一体的に形成されたフック部１１に伝えられ、フック部１１を介して骨格パネル３１０に負荷されるので、取付部材側係止部２０に負荷されるサンバイザー６０の荷重が低減され、取付部材側係止部２０による結合力を低減させることができ、結果的にサンバイザー６０の取り付け性、および取り外し性を向上することができる。
【００５６】
また、本発明の実施例に係るサンバイザーの固定構造１は、フック一体突設部３１がフック部１１の突出上端部１１ａ近傍まで突設されてなるので、サンバイザー６０の荷重がフック部１１を介して効率的に骨格パネル３１０に伝達され、取付部材側係止部２０に負荷されるサンバイザー６０の荷重をより低減させることができる。
【００５７】
なお、本発明の実施例に係るサンバイザーの固定構造１は、骨格パネル３１０に固定されるものを例示したが、これに限らず、取り付け先となるパネルに固定されるようになっていれば、その他の取付パネルに固定されるようにしても構わない。例えば、天井パネル３２０に直接固定されるようにしてもよい。
【００５８】
また、本発明の実施例に係るサンバイザーの固定構造１は、取付部材１０の取付部材側係止部２０が固定ハウジング側係止部３５０に係合されるものを例示したが、これに限らない。すなわち、取付部材１０の他端縁部１０ｃが骨格パネル３１０に係止されるようになっていればその他の構成であっても構わない。例えば、骨格パネル３１に取付部材側係止部２０と係合される係合部を設けるようにしても構わない。
【００５９】
また、本発明の実施例に係るサンバイザーの固定構造１は、取付部材側係止部２０が、一対の鉤状突起２０ａからなるものを例示したが、これに限らず、取付部材１０の他端縁部１０ｃが係止されるようになっていればその他の構成であっても構わない。
【００６０】
以上、本発明者によってなされた発明を、上述した発明の実施例に基づき具体的に説明したが、本発明は、上述した発明の実施例に限定されるものではなく、その要旨を逸脱しない範囲において種々変更可能である。
【符号の説明】
【００６１】
１        サンバイザーの固定構造
１０      取付部材
１０ａ    部材取付面
１０ａａ  裏面
１０ｂ    一端縁部
１０ｃ    他端縁部
１１      フック部
１１ａ    突出上端部
２０      取付部材側係止部
２０ａ    鉤状突起
３０      シャフト保持部
３１      フック一体突設部
３２      シャフト斜め挿通孔
４０      固定部
４１      ボルト挿通孔
５０      移動規制部
５１      移動小側係止部
５１ａ    引掛り突起部
５２      移動大側係止部
５２ａ    立設部
５２ａａ  摺接面
５２ｂ    移動範囲規制爪部
６０      サンバイザー
６１      シャフト
３００    サンバイザーユニット
３１０    骨格パネル
３１０ａ  取付面
３１１    パネル開口部
３１２    取付部材固定部
３１２ａ  ボルト挿通孔
３１３    フック位置決め部
３２０    天井パネル
３２１    コネクタ挿通用開口部
３２１ａ    切り欠き部
３３０    固定側コネクタ
３３１ａ  雄端子
３３１ａａ  接続部
３３１ｂ    雌端子
３４０    固定側コネクタハウジング
３４１    天井壁
３４２    延出側壁
３４２ａ  前側下端縁
３４３    端子保持部
３４５    固定側コネクタ嵌合部
３４６    囲い壁
３４７    嵌入口
３４８    天井挟み込み部
３４８ａ  上側突出片部
３４８ｂ  下側突出片部
３４９    ガイド溝部
３４９ａ  傾斜面
３５０    固定ハウジング側係止部
３５０ａ  鉤状突起
４００    移動側コネクタ
４１０    雌端子
４２０    移動側コネクタ嵌合部
４２０ａ  端子挿通孔
４３０    移動小側下端縁
４４０    移動大側下端縁
４５０    移動側コネクタハウジング
４５１    雌端子保持部
４６０    ガイド突起部
４７０    引掛り部
４８０    爪部挿通孔
４８０ａ  孔内底面
【図１】
2013166525.tif 000003
【図２】
2013166525.tif 000004
【図３】
2013166525.tif 000005
【図４】
2013166525.tif 000006
【図５】
2013166525.tif 000007
【図６】
2013166525.tif 000008
【図７】
2013166525.tif 000009
【図８】
2013166525.tif 000010
【図９】
2013166525.tif 000011
【図１０】
2013166525.tif 000012
【図１１】
2013166525.tif 000013
【図１２】
2013166525.tif 000014
【図１３】
2013166525.tif 000015